(57)【要約】【課題】昼間でも視線誘導装置の設置現場にてラインレーザー光が所定のライン標示位置に正しく照射されていることを簡単に確認できるようにする補助具及び補助具の使用方法を提供する。【解決手段】ラインレーザー光１１を道路の路面に向けて照射する視線誘導装置１を道路に立設する支持体Ｐの所定高さ位置Ｓ１に設置する際にラインレーザー光１１が所定のライン標示位置Ｓ２に照射されていることを確認するための補助具３である。補助具３は、基台４と、基台４に設けられた反射板５とを備え、反射板５は、ラインレーザー光１１の反射光によるライン６が映し出される反射面５１を有し、反射面５１は、路面のライン標示位置Ｓ２にて視線誘導装置１の支持体設置位置Ｓ１から見て支持体設置位置Ｓ１と対面する向きに設定されている。【選択図】図２
2019015068.tif 000002
【特許請求の範囲】
【請求項１】
ラインレーザー光を道路の路面に向けて照射する視線誘導装置を道路に立設する支持体の所定高さ位置に設置する際にラインレーザー光が所定のライン標示位置に照射されていることを確認するための補助具であって、
基台と、基台に設けられた反射板とを備え、
反射板は、ラインレーザー光の反射光によるラインが映し出される反射面を有し、
反射面は、路面のライン標示位置にて視線誘導装置の支持体設置位置から見て支持体設置位置と対面する向きに設定されている補助具。
【請求項２】
請求項１に記載の補助具において、
視線誘導装置が支持体の所定高さ位置から車両の進行方向逆方向側における外側線又は外側線近傍の一定長さ範囲に対してラインレーザー光の照射により外側線に沿ってライン標示させるように支持体に設置される場合に対応して、このライン標示位置にて反射面の向きが視線誘導装置の支持体設置位置と対面するように設定されている補助具。
【請求項３】
請求項１又は２に記載の補助具において、
反射面は、視線誘導装置から出射されるラインレーザー光の中心線となる光軸が垂直に入射される角度に設定されている補助具。
【請求項４】
請求項１〜３のいずれか１項に記載の補助具において、
反射板の左右両辺には、日よけ板が設けられている補助具。
【請求項５】
請求項１〜４のいずれか１項に記載の補助具において、
反射板は、左右両辺が視線誘導装置の支持体設置位置から見て道路の長さ方向と平行となるように傾けられている補助具。
【請求項６】
請求項１〜５のいずれか１項に記載の補助具において、
反射面には、ライン標示方向に沿うようにラインレーザー光の発光色とは異なる色の基準ラインが付されている補助具。
【請求項７】
請求項１〜６のいずれか１項に記載の補助具の使用方法であって、
ライン標示の線上に間隔をあけて２箇所に第１の補助具と第２の補助具とをそれぞれ配置させ、
第１の補助具は、ラインレーザー光の中心線となる光軸の照射位置に配置し、
第２の補助具は、第１の補助具よりも視線誘導装置から遠くに離れた位置に配置し、
視線誘導装置の支持体設置位置から見て、第１、第２の補助具の各々の反射面に映し出されるラインレーザー光の反射光によるラインの位置を確認するように使用する補助具の使用方法。
【請求項８】
請求項７に記載の補助具の使用方法において、
ライン標示の線上に配置する第１、第２の補助具を紐状の部材で繋ぎ、この紐状部材をライン標示の線方向にまっすぐ延ばして配置させる補助具の使用方法。
【発明の詳細な説明】
【技術分野】
【０００１】
本発明は、ラインレーザー光を道路の路面に照射する視線誘導装置を道路に立設する支持体の所定高さ位置に設置する際にラインレーザー光が所定のライン標示位置に照射されていることを確認するための補助具及び補助具の使用方法に関する。
【背景技術】
【０００２】
従来、視線誘導装置として、道路脇に立設した支柱等の支持体の所定高さ位置に設置して上方から下方に向けてラインレーザー光を照射して道路の外側線に沿ったライン標示を行うことにより、積雪時等の視程障害時でも車両運転者に道路の外側線を認識させるものが提案されている（特許文献１）。また、このような視線誘導装置にあって支持体の所定高さ位置にてラインレーザー光が路面の所定のライン標示位置に照射されるようにレーザー光源を所定角度に予め設定して装置内に組み込むようにして現場作業を簡易に行なえるようにしたものが提案されている（特許文献２）。
【先行技術文献】
【特許文献】
【０００３】
【特許文献１】特願２０１６−２２１６１７
【特許文献２】特願２０１７−７０７９２
【発明の概要】
【発明が解決しようとする課題】
【０００４】
ところで、ラインレーザー光による道路上のライン標示は、例えば、昼間のような明るい環境下では、日光に照らされてほとんど目視することができない。それゆえ、視線誘導装置の設置現場では、昼間でも視線誘導装置を支持体に設置する際にラインレーザー光が所定のライン標示位置に正しく照射されていることを作業者が簡単に確認できるようにすることが望まれている。
【０００５】
本発明は、以上の事情に鑑みてなされたものであり、昼間でも視線誘導装置の設置現場にてラインレーザー光が所定のライン標示位置に正しく照射されていることを簡単に確認できるようにする補助具及び補助具の使用方法を提供することを目的とする。
【課題を解決するための手段】
【０００６】
本発明に係る補助具は、
ラインレーザー光を道路の路面に向けて照射する視線誘導装置を道路に立設する支持体の所定高さ位置に設置する際にラインレーザー光が所定のライン標示位置に照射されていることを確認するための補助具であって、
基台と、基台に設けられた反射板とを備え、
反射板は、ラインレーザー光の反射光によるラインが映し出される反射面を有し、
反射面は、路面のライン標示位置にて視線誘導装置の支持体設置位置から見て支持体設置位置と対面する向きに設定されているものである。
【０００７】
本発明に係る補助具の使用方法は、
上記補助具の使用方法であって、
ライン標示の線上に間隔をあけて２箇所に第１の補助具と第２の補助具とをそれぞれ配置させ、
第１の補助具は、ラインレーザー光の中心線となる光軸の照射位置に配置し、
第２の補助具は、第１の補助具よりも視線誘導装置から遠くに離れた位置に配置し、
視線誘導装置の支持体設置位置から見て、第１、第２の補助具の各々の反射面に映し出されるラインレーザー光の反射光によるラインの位置を確認するように使用する。
【発明の効果】
【０００８】
本発明によれば、所定のライン標示位置に配置した補助具の反射面には、視線誘導装置からのラインレーザー光の反射光によるラインが映し出される。例えば、昼間の明るい環境下でも、視線誘導装置の設置現場にて、視線誘導装置の設置位置を目線として、補助具の反射面に映し出されたラインレーザー光のラインの位置を目視することができる。これにより、支持体に設置した視線誘導装置からのラインレーザー光が所定のライン標示位置に正しく照射されていることを簡単に確認することができる。反射面に映し出されるラインの位置がずれている場合も確認できるので、このラインが正しいライン標示位置に映し出されるように視線誘導装置の設置位置にて反射面に映し出されるラインを目視しながら視線誘導装置の姿勢の調整等もその場で直ちに行うことができる。従って、昼間でも、視線誘導装置の設置作業を円滑に且つ簡単に行うことができ、視線誘導装置を設置する作業性が大幅に向上し、また、視線誘導装置の設置時間を大幅に短縮することができる。
【図面の簡単な説明】
【０００９】
【図１】視線誘導装置により外側線上にライン標示を行っている状態を示す模式図である。
【図２】実施形態の補助具を示す斜視図である。
【図３】実施形態の補助具を一部断面した側面図である。
【図４】視線誘導装置のラインレーザー光の照射方向を示す図であり、同図（ａ）は上下方向の角度αを示すため道幅方向から見た側面模式図であり、同図（ｂ）は左右方向の角度γを示すため上方から見た上面模式図である。
【図５】視線誘導装置においてレーザー光源を回転角度θで設置した状態を示すためレーザー光源の基端側から見た模式図である。
【図６】補助具の反射板の設定角度を示す図であり、同図（ａ）は、反射板の上向き角度αを示す側面模式図であり、同図（ｂ）は、反射板の横向き角度γを示す上面模式図であり、同図（ｃ）は、反射板の回転角度θを示す正面模式図である。
【図７】補助具の使用方法としてライン標示を行う外側線上に２個の補助具を配置させて視線誘導装置の支持体設置位置を目線として眺めた状態を示す模式図である。
【発明を実施するための形態】
【００１０】
以下に、本発明の実施形態について図面を参照しながら説明する。
図１に示すように、視線誘導装置１は、道路脇に立設した支柱等の支持体Ｐの所定高さ位置Ｓ１に設置されて上方から下方に向けてラインレーザー光１１を照射して道路の外側線２に沿ったライン標示２１を行う。実施形態の補助具３は、この視線誘導装置１を支持体Ｐの所定高さ位置Ｓ１に設置する際にラインレーザー光１１を照射すべき所定のライン標示位置Ｓ２に照射されていることを確認するための道具である。
【００１１】
図２、図３に示すように、補助具３は、基台４と、基台４に設けられた反射板５とを備えている。基台４は、四角形の板材で形成された脚部４１と、脚部４１上に設けられて反射板５を取り付ける支持部４２とを有している。反射板５は、一面側の主面に反射面５１を有している。なお、補助具３において、反射板５の反射面５１側を前あるいは正面として前後左右の位置、方向を特定し、基台４に対して反射板５の配置側を上として上下の位置、方向を特定する。
【００１２】
基台４の脚部４１は、左右両辺４３，４４が互いに平行に直線状に延びている。この脚部４１の左右辺４３，４４は、補助具３をライン標示位置Ｓ２となる外側線２上に配置させる際に、外側線２と平行に配置させる基準となる。なお、脚部４１は、四角形の板材に限らず、例えば、平行に配置する２本の棒材（棒材の長手側が外側線２と平行に配置させる基準となる。）等でもよく、その他に補助具３の配置方向の基準となる直線部を有するものであれば種々の形態のものでもよい。
【００１３】
反射板５は、四角形の板材で形成され、この板材の主面（正面）に貼り付け等して設けられた反射面５１は、ラインレーザー光１１が照射されるとラインレーザー光１１の反射光によるライン６が映し出されるものである。反射面５１は、例えば、再帰反射シート５２により形成される。再帰反射シート５２は、例えば、微小プリズム又は透明ビーズ等の再帰反射材を含む樹脂シートにより形成されている。再帰反射シート５２は、観測角が小さく（反射の拡散が少ない）反射性能に優れているので、直進性及び指向性に優れたレーザー光の反射光を反射面５１側から良好に視認することができる。なお、反射面５１は、再帰反射シート５２による再帰性反射面に限らず、鏡、アルミ板等の金属板、白板等のような様々な反射材によって形成してもよい。
【００１４】
反射板５は、外側線２におけるライン標示位置Ｓ２にて、反射面５１が視線誘導装置１の支持体設置位置Ｓ１から見て支持体設置位置Ｓ１と対面する角度となるように設定されている。これにより、昼間でも、視線誘導装置１の設置現場にて、視線誘導装置１の設置位置Ｓ１を目線として、補助具３の反射面５１に映し出されるラインレーザー光１１の反射光によるライン６の位置を目視することができる。例えば、反射面５１は、ライン標示位置Ｓ２における、視線誘導装置１から出射されるラインレーザー光１１の中心線となる光軸１２の照射位置（フォーカス位置Ｆ１）において、この光軸１２が垂直に入射される角度に設定される。視線誘導装置１が支持体Ｐの設置位置Ｓ１から車両の進行方向逆方向側における外側線２又は外側線２近傍の一定長さ範囲に対してライン標示２１を行う場合（図１参照）、図４に示すように、視線誘導装置１にあっては、ラインレーザー光１１の光軸１２は、真下方向から上方向へ向く上下方向の角度α（図４（ａ）参照）、道路幅方向から横方向へ向く左右方向の角度γ（図４（ｂ）参照）に設定される。この場合、反射板５は、図６に示すように、上向き角度が脚部４１の上面である水平面に対してαとなる角度（図６（ａ）参照）、横向き角度が脚部４１の左辺４４に沿った垂直面に対してγとなる角度（図６（ｂ）参照）に設定される。
【００１５】
また、視線誘導装置１のレーザー光源１０は、ラインレーザー光１１によるライン標示２１が外側線２の長さ方向に沿ってまっすぐ投影されるように、図５を参照して、レーザー光源１０の基端側から見て、ラインレーザー光１１の直線ラインが縦長に延びる鉛直方向から時計方向に回転角度θだけ回転した位置の方向に延びるように設定されている。この回転角度θは、路面からレーザー光源１０までの設置高さＨ、レーザー光源１０の路面上の位置から外側線２までの最短距離である振り幅Ｗであれば（図１参照）、θ＝Ａｔａｎ（Ｗ／Ｈ）として設定される。そこで、本実施形態では、反射板５は、図６（ｃ）に示すように、反射面５１側から見て、反射板５の中心点５３を中心に時計方向にθ度回転させた角度に設定される。これにより、脚部４１の左右辺４３，４４を外側線２と平行にして基台４をライン標示位置Ｓ２に配置すると、視線誘導装置１の支持体設置位置Ｓ１を目線として見た場合、反射板５の左右辺５４，５５が外側線２の長さ方向（道路の長さ方向）に沿うように見ることができる（図２参照）。従って、反射面５１に映し出されるライン６は、視線誘導装置１からのラインレーザー光１１が所定のライン標示位置Ｓ２に正しく照射されている位置であるか否かを容易に確かめることができる。
【００１６】
図２を参照して、反射板５の左右両辺５４，５５には、反射面５１側に延ばした日よけ板７が設けられている。この日よけ板７によって反射面５１が日光に照らされることを抑制するので、この反射面５１に映し出されるラインレーザー光１１の反射光によるライン６の視認性を向上することができる。特に日よけ板７がラインレーザー光１１を遮ることなく反射面５１に影を落とす場合は、反射面５１に映し出されるラインレーザー光１１のライン６が格段に明るく目視することができる。また、日よけ板７は、反射板５の左右両辺５４，５５に設けるので、反射板５の上下辺５６，５７にわたって反射面５１の正面から入射されるラインレーザー光１１を遮ることもない。なお、日よけ板７を反射板５の上辺５６に設けると、反射板５の上下辺５６，５７にわたって反射面５１の正面から入射されるラインレーザー光１１の一部を遮ったり、視線誘導装置１の設置位置Ｓ１から見た反射面５１でのラインレーザー光１１の反射光によるライン６の視認性を低下させるおそれがあるので、反射板５の上辺５６には日よけ板７を設けないのが好ましいが、反射板５の上辺５６に日よけ板７を設けることを排除するものではない。また、日よけ板７を基台４に安定して固定させるために、日よけ板７の下端部を支持する日よけ板用支持部を脚部４１に設けるようにしてもよい。また、補助具３においては日よけ板７を設けない構成であってもよい。
【００１７】
次に、補助具３の使用方法の一例を説明する。
視線誘導装置１は、図１に示すように、道路脇の支持体Ｐにおける所定高さの設置位置Ｓ１から車両の進行方向逆方向側における外側線２又は外側線２近傍の一定長さ範囲に対してラインレーザー光１１の照射によりライン標示２１を行うものとする。補助具３は、図７に示すように、この視線誘導装置１によりライン標示２１を行う外側線２上に間隔をあけて２箇所に配置する（第１、第２の補助具３Ａ，３Ｂ）。具体的に、第１の補助具３Ａは、ラインレーザー光１１の中心線となる光軸１２の照射位置、すなわちラインレーザー光１１のフォーカス位置Ｆ１（例えば、外側線２沿いに視線誘導装置１の設置位置Ｓ１から１０ｍ離れた位置）に配置し、第２の補助具３Ｂは、第１の補助具３Ａよりも視線誘導装置１から遠くに離れた位置Ｆ２（例えば、ライン標示２１の端部付近となる位置であり、外側線２沿いに視線誘導装置１の設置位置Ｓ１から２０ｍ離れた位置）に配置する。このとき、第１、第２の補助具３Ａ，３Ｂは、反射面５１を視線誘導装置１側に向け、基台４の脚部４１の左右両辺４３，４４が外側線２と平行となるように配置する。これにより、第１、第２の補助具３Ａ，３Ｂの各々の反射面５１は、視線誘導装置１の支持体設置位置Ｓ１から見て支持体設置位置Ｓ１と対面するように設定される。
【００１８】
また、第１、第２の補助具３Ａ，３Ｂは、黄色テープ８（紐状部材）で繋いでおいて、この黄色テープ８を外側線２に沿ってまっすぐ延ばした状態に配置させる。これにより、黄色テープ８は、ライン標示２１の目安となる。また、黄色テープ８の長さを第１、第２の補助具３Ａ，３Ｂの配置間隔に設定することにより、例えば、第１の補助具３Ａをフォーカス位置Ｆ１に配置させた後に黄色テープ８がまっすぐ延びた地点で第２の補助具３Ｂを配置させればよく、第１、第２の補助具３Ａ，３Ｂの配置作業を簡単且つ効率よく行うことができる。
【００１９】
そして、視線誘導装置１によりラインレーザー光１１を照射すると、第１、第２の補助具３Ａ，３Ｂの反射面５１には、視線誘導装置１からのラインレーザー光１１の反射光によるライン６が映し出される。昼間の明るい環境下でも、視線誘導装置１の設置現場にて、視線誘導装置１の設置位置Ｓ１を目線として第１、第２の補助具３Ａ，３Ｂを眺めると、第１、第２の補助具３Ａ，３Ｂの反射面５１に映し出されたラインレーザー光１１の反射光によるライン６の位置を良好に目視することができる。これにより、昼間でも、視線誘導装置１の設置現場にて、支持体Ｐの所定高さ位置Ｓ１に設置した視線誘導装置１からのラインレーザー光１１が所定のライン標示位置Ｓ２に正しく照射されていることを簡単に確認することができる。また、第１、第２の補助具３Ａ，３Ｂの各々の反射面５１に映し出されるライン６の位置がずれている場合も確認できるので、このライン６が正しいライン標示位置Ｓ２に映し出されるように視線誘導装置１の設置位置Ｓ１にて反射面５１に映し出されるライン６を目視しながら視線誘導装置１の姿勢の調整等もその場で直ちに行うことができる。第１、第２の補助具３Ａ，３Ｂの各々の反射面５１に映し出されるライン６の位置として、第１、第２の補助具３Ａ，３Ｂ同士を繋いだ黄色テープ８と対比しつつ確認することで、ライン６の位置にずれがあるか否かを容易に確認することができる。従って、昼間でも、視線誘導装置１の設置作業を円滑に且つ簡単に行うことができ、視線誘導装置１を設置する作業性が大幅に向上し、また、視線誘導装置１の設置時間を大幅に短縮することができる。
【００２０】
なお、本発明は、上記実施形態に限定されず、本発明の要旨の範囲内で様々な変更を施すことができる。
例えば、補助具３の使用方法として、補助具３を３箇所以上に配置させるようにしてもよい。この場合、第３の補助具３として、フォーカス位置Ｆ１に配置する第１の補助具３Ａよりも視線誘導装置１に近づいた位置、例えば、ライン標示２１の端部付近となる位置（例えば、外側線２沿いに視線誘導装置１の設置位置Ｓ１から５ｍ離れた位置）に配置させるようにしてもよい。
また、補助具３の反射面５１には、ライン標示２１の方向に沿うようにラインレーザー光１１の発光色（例えば、緑色）とは異なる色のテープ等により基準ラインを付すようにしてもよい。この場合、基準ラインにより、反射面５１に映し出されるラインレーザー光１１のライン６と混同することなく、ライン６の位置にずれがあるか否かを容易に確認することができる。
【符号の説明】
【００２１】
１  視線誘導装置
２  外側線
３  補助具
３Ａ  第１の補助具
３Ｂ  第２の補助具
４  基台
５  反射板
６  ライン
７  日よけ板
８  黄色テープ（紐状部材）
１０  レーザー光源
１１  ラインレーザー光
１２  光軸
２１  ライン標示
４１  脚部
４２  支持部
５１  反射面
４３  脚部の右辺
４４  脚部の左辺
５２  再帰反射シート
５３  中心点
５４  反射板の右辺
５５  反射板の左辺
５６  反射板の上辺
５７  反射板の下辺
Ｆ１  フォーカス位置
Ｆ２  離れた位置
Ｐ  支持体（支柱）
Ｓ１  設置位置（所定高さ位置）
Ｓ２  ライン標示位置
【図１】
2019015068.tif 000003
【図２】
2019015068.tif 000004
【図３】
2019015068.tif 000005
【図４】
2019015068.tif 000006
【図５】
2019015068.tif 000007
【図６】
2019015068.tif 000008
【図７】
2019015068.tif 000009